(57)【要約】【課題】  代替書体に置き換えられたテキストを編集する場合に、レイアウトの崩れ等が発生したり、違う環境でオリジナルの書体への変更が難しい等の問題があった。【解決手段】  本発明は、埋め込まれている書体を確認し、埋め込まれている書体の文字データが、編集する情報処理装置に既にインストールされているかどうかを判定し、埋め込まれている書体の文字データが編集可能でかつ情報処理装置にインストールされていなかった場合、代替書体で表示して、編集を行う。テキストを編集又は表示しようとした時、代替履歴上使われていたどの書体でも自由に選択でき、どの書体を使用してもページ内のレイアウトを崩すことがなく表示できるようにする。【選択図】        図５
2006163862.tif 000002
【特許請求の範囲】
【請求項１】
文字データが埋め込まれたテキストデータの編集において、埋め込まれている書体を確認する工程と、埋め込まれている書体の文字データが、編集する情報処理装置に既にインストールされているかどうかを判定する工程と、埋め込まれている書体の文字データが編集可能でかつ情報処理装置にインストールされていなかった場合、代替書体で表示し、編集を行う工程とを有することを特徴とした文字埋め込みテキスト編集方法。
【請求項２】
請求項１における埋め込まれた文字データは、Ｗｉｎｄｏｗｓ（登録商標）版ＴｒｕｅＴｙｐｅ形式であることを特徴とする文字データ埋め込みテキスト編集方法。
【請求項３】
請求項１における埋め込まれた文字データは、テキストに使われている文字コードに対するデータだけで構成された文字データであることを特徴とした文字埋め込みテキスト編集方法。
【請求項４】
請求項１において、代替書体で新たに編集を行った場合にそのフォントデータを新たにテキストに埋め込むかどうかをユーザーに選択させる工程と、修正前に埋め込んであった修正部分のフォントデータをテキストから削除しテキストのデータ量の増加を防ぐかどうかをユーザーに選択させる工程と、編集する度にそのフォントの文字データがあるなしによるフォントデータの代替情報を残すかどうかをユーザーに選択させる工程を有することを特徴とした文字埋め込みテキスト編集方法。
【請求項５】
請求項４において、編集を行った代替書体を新たに使用フォントとしてテキストに埋め込む場合、編集部分を含めた代替書体使用部分すべてのフォントデータを作成し、テキストに埋め込むこととを特徴とする文字埋め込みテキスト編集方法。
【請求項６】
請求項４において、修正前に使用し埋め込まれていたフォントデータを削除する場合、修正部分を含めそのフォントの文字データすべてをテキストより削除することを特徴とする文字埋め込みテキスト編集方法。
【請求項７】
請求項４の代替情報は、代替書体を使って編集を行うたびに、編集を行ったブロックのページ内でのレイアウト情報とその際使用した代替書体の情報であることを特徴とする文字埋め込みテキスト編集方法。
【請求項８】
請求項４において、編集によるフォントデータの代替情報を残す場合、基本となる大本のテキストに使われていたフォントデータを１とし、順位番号を付け管理することを特徴とする文字埋め込みテキスト編集方法。
【請求項９】
請求項７におけるフォントの代替情報において各フォントに優先順位をユーザーがつけられることを特徴とした文字埋め込みテキスト編集方法。
【請求項１０】
最後に編集を行った時の、テキストの各ページごとのレイアウト情報を保存することを特徴とする文字埋め込みテキスト編集方法。
【請求項１１】
請求項１０におけるレイアウト情報は、各ページにおけるドキュメント、表、イメージなど各素材の表示位置及びその範囲を意味することを特徴とする文字埋め込みテキスト編集方法。
【請求項１２】
テキストを表示、編集する情報処理装置に、請求項４に示したフォントの代替情報に登録された複数の書体がインストールされており、かつ請求項９における書体の優先順位が
つけられている場合は、インストールされている複数の書体の中で優先順位の一番高いものを、表示編集に使うことを特徴とする文字埋め込みテキスト編集方法。
【請求項１３】
テキストを表示、編集する情報処理装置に、請求項４に示したフォントの代替情報に登録された複数の書体がインストールされており、かつ請求項９における書体の優先順位がつけられていない場合、どの書体を使うかをユーザーが選択することを特徴とする文字埋め込みテキスト編集方法。
【請求項１４】
請求項１２または１３によって選択されたフォントで表示する場合、請求項１０に示すレイアウトに収まるように文字のサイズ及びピッチ等を算出しなおす工程と、この際レイアウトの収まる範囲でユーザーがピッチ及びサイズを選択できることを特徴とする文字埋め込みテキスト編集方法。
【請求項１５】
請求項１１のレイアウトは、各素材単位でその位置及び範囲を編集することが可能であることを特徴とする文字埋め込みテキスト編集方法。
【請求項１６】
文字データが埋め込まれたテキストデータの編集において、埋め込まれている書体を確認する手段と、埋め込まれている書体の文字データが、編集する情報処理装置に既にインストールされているかどうかを判定する手段と、埋め込まれている書体の文字データが編集可能でかつ情報処理装置にインストールされていなかった場合、代替書体で表示し、編集を行う手段とを有することを特徴とした文字埋め込みテキスト編集装置。
【請求項１７】
請求項１６における埋め込まれた文字データは、Ｗｉｎｄｏｗｓ（登録商標）版ＴｒｕｅＴｙｐｅ形式であることを特徴とする文字データ埋め込みテキスト編集装置。
【請求項１８】
請求項１６における埋め込まれた文字データは、テキストに使われている文字コードに対するデータだけで構成された文字データであることを特徴とした文字埋め込みテキスト編集装置。
【請求項１９】
請求項１６において、代替書体で新たに編集を行った場合にそのフォントデータを新たにテキストに埋め込むかどうかをユーザーに選択させる手段と、修正前に埋め込んであった修正部分のフォントデータをテキストから削除しテキストのデータ量の増加を防ぐかどうかをユーザーに選択させる手段と、編集する度にそのフォントの文字データがあるなしによるフォントデータの代替情報を残すかどうかをユーザーに選択させる手段を有することを特徴とした文字埋め込みテキスト編集装置。
【請求項２０】
請求項１９において、編集を行った代替書体を新たに使用フォントとしてテキストに埋め込む場合、編集部分を含めた代替書体使用部分すべてのフォントデータを作成し、テキストに埋め込むこととを特徴とする文字埋め込みテキスト編集装置。
【請求項２１】
請求項１９において、修正前に使用し埋め込まれていたフォントデータを削除する場合、修正部分を含めそのフォントの文字データすべてをテキストより削除することを特徴とする文字埋め込みテキスト編集装置。
【請求項２２】
請求項１９の代替情報は、代替書体を使って編集を行うたびに、編集を行ったブロックのページ内でのレイアウト情報とその際使用した代替書体の情報であることを特徴とする文字埋め込みテキスト編集装置。
【請求項２３】
請求項１９において、編集によるフォントデータの代替情報を残す場合、基本となる大本のテキストに使われていたフォントデータを１とし、順位番号を付け管理することを特
徴とする文字埋め込みテキスト編集装置。
【請求項２４】
請求項２２におけるフォントの代替情報において各フォントに優先順位をユーザーがつけられることを特徴とした文字埋め込みテキスト編集装置。
【請求項２５】
最後に編集を行った時の、テキストの各ページごとのレイアウト情報を保存することを特徴とする文字埋め込みテキスト編集装置。
【請求項２６】
請求項２５におけるレイアウト情報は、各ページにおけるドキュメント、表、イメージなど各素材の表示位置及びその範囲を意味することを特徴とする文字埋め込みテキスト編集装置。
【請求項２７】
テキストを表示、編集する情報処理装置に、請求項１９に示したフォントの代替情報に登録された複数の書体がインストールされており、かつ請求項２４における書体の優先順位がつけられている場合は、インストールされている複数の書体の中で優先順位の一番高いものを、表示編集に使うことを特徴とする文字埋め込みテキスト編集装置。
【請求項２８】
テキストを表示、編集する情報処理装置に、請求項１９に示したフォントの代替情報に登録された複数の書体がインストールされており、かつ請求項２４における書体の優先順位がつけられていない場合、どの書体を使うかをユーザーが選択することを特徴とする文字埋め込みテキスト編集装置。
【請求項２９】
請求項２７または２８によって選択されたフォントで表示する場合、請求項２５に示すレイアウトに収まるように文字のサイズ及びピッチ等を算出しなおす手段と、この際レイアウトの収まる範囲でユーザーがピッチ及びサイズを選択できることを特徴とする文字埋め込みテキスト編集装置。
【請求項３０】
請求項２６のレイアウトは、各素材単位でその位置及び範囲を編集することが可能であることを特徴とする文字埋め込みテキスト編集装置。
【請求項３１】
文字データが埋め込まれたテキストデータの編集において、埋め込まれている書体を確認する工程と、埋め込まれている書体の文字データが、編集する情報処理装置に既にインストールされているかどうかを判定する工程と、埋め込まれている書体の文字データが編集可能でかつ情報処理装置にインストールされていなかった場合、代替書体で表示し、編集を行うことを特徴とした文字埋め込みテキスト編集制御プログラムを記憶した媒体。
【請求項３２】
請求項３１における埋め込まれた文字データは、Ｗｉｎｄｏｗｓ（登録商標）版ＴｒｕｅＴｙｐｅ形式であることを特徴とする文字データ埋め込みテキスト編集制御プログラムを記憶した媒体。
【請求項３３】
請求項３１における埋め込まれた文字データは、テキストに使われている文字コードに対するデータだけで構成された文字データであることを特徴とした文字埋め込みテキスト編集制御プログラムを記憶した媒体。
【請求項３４】
請求項３１において、代替書体で新たに編集を行った場合にそのフォントデータを新たにテキストに埋め込むかどうかをユーザーに選択させる工程と、修正前に埋め込んであった修正部分のフォントデータをテキストから削除しテキストのデータ量の増加を防ぐかどうかをユーザーに選択させる工程と、編集する度にそのフォントの文字データがあるなしによるフォントデータの代替情報を残すかどうかをユーザーに選択させる工程を有することを特徴とした文字埋め込みテキスト編集制御プログラムを記憶した媒体。
【請求項３５】
請求項３４において、編集を行った代替書体を新たに使用フォントとしてテキストに埋め込む場合、編集部分を含めた代替書体使用部分すべてのフォントデータを作成し、テキストに埋め込むこととを特徴とする文字埋め込みテキスト編集制御プログラムを記憶した媒体。
【請求項３６】
請求項３４において、修正前に使用し埋め込まれていたフォントデータを削除する場合、修正部分を含めそのフォントの文字データすべてをテキストより削除することを特徴とする文字埋め込みテキスト編集制御プログラムを記憶した媒体。
【請求項３７】
請求項３４の代替情報は、代替書体を使って編集を行うたびに、編集を行ったブロックのページ内でのレイアウト情報とその際使用した代替書体の情報であることを特徴とする文字埋め込みテキスト編集制御プログラムを記憶した媒体。
【請求項３８】
請求項３４において、編集によるフォントデータの代替情報を残す場合、基本となる大本のテキストに使われていたフォントデータを１とし、順位番号を付け管理することを特徴とする文字埋め込みテキスト編集制御プログラムを記憶した媒体。
【請求項３９】
請求項３７におけるフォントの代替情報において各フォントに優先順位をユーザーがつけられることを特徴とした文字埋め込みテキスト編集制御プログラムを記憶した媒体。
【請求項４０】
最後に編集を行った時の、テキストの各ページごとのレイアウト情報を保存することを特徴とする文字埋め込みテキスト編集制御プログラムを記憶した媒体。
【請求項４１】
請求項４０におけるレイアウト情報は、各ページにおけるドキュメント、表、イメージなど各素材の表示位置及びその範囲を意味することを特徴とする文字埋め込みテキスト編集制御プログラムを記憶した媒体。
【請求項４２】
テキストを表示、編集する情報処理装置に、請求項３４に示したフォントの代替情報に登録された複数の書体がインストールされており、かつ請求項３９における書体の優先順位がつけられている場合は、インストールされている複数の書体の中で優先順位の一番高いものを、表示編集に使うことを特徴とする文字埋め込みテキスト編集制御プログラムを記憶した媒体。
【請求項４３】
テキストを表示、編集する情報処理装置に、請求項３４に示したフォントの代替情報に登録された複数の書体がインストールされており、かつ請求項３９における書体の優先順位がつけられていない場合、どの書体を使うかをユーザーが選択することを特徴とする文字埋め込みテキスト編集制御プログラムを記憶した媒体。
【請求項４４】
請求項４２または４３によって選択されたフォントで表示する場合、請求項４０に示すレイアウトに収まるように文字のサイズ及びピッチ等を算出しなおす工程と、この際レイアウトの収まる範囲でユーザーがピッチ及びサイズを選択できることを特徴とする文字埋め込みテキスト編集制御プログラムを記憶した媒体。
【請求項４５】
請求項４１のレイアウトは、各素材単位でその位置及び範囲を編集することが可能であることを特徴とする文字埋め込みテキスト編集制御プログラムを記憶した媒体。
【発明の詳細な説明】
【技術分野】
【０００１】
本発明は、文字埋め込みテキスト編集方法及びその装置ならびにそれらを記憶する記憶媒体に関する。
【背景技術】
【０００２】
従来、文字データをテキストに埋め込む技術は、違う情報処理装置上でも同様の表示結果が得られることを目的としているため、その後の編集については余り考慮されていなかった。
【特許文献１】特開平０６−３２５０３５号公報
【発明の開示】
【発明が解決しようとする課題】
【０００３】
特に、埋め込まれた文字データがインストールされていない情報処理装置上でそのテキストを編集する場合、元の書体を活かした編集はできず、代替書体に置き換えて編集するしかなかったが、代替書体に置き換わった場合等に、レイアウトの崩れ等が発生したり、違う環境でオリジナルの書体への変更が難しい等の問題があった。
【課題を解決するための手段】
【０００４】
本発明の文字埋め込みテキスト編集方法は、文字データが埋め込まれたテキストデータの編集において、埋め込まれている書体を確認する工程と、埋め込まれている書体の文字データが、編集する情報処理装置に既にインストールされているかどうかを判定する工程と、埋め込まれている書体の文字データが編集可能でかつ情報処理装置にインストールされていなかった場合、代替書体で表示し、編集を行う工程とを有する。
【発明の効果】
【０００５】
本発明は、環境の違いや編集等で代替書体に置き換わりその状態で保存した場合、その書体の置き換わったエリアの範囲や位置、そして書体の情報を保存し、編集時のレイアウトを崩すことがない様にピッチや文字サイズを算出することにより、あらゆる環境で、編集、保存しても、レイアウトを崩さず、その都度所望の書体でドキュメントを表示、編集、出力ができるようにすることを目的とする。
本発明によれば、文字を埋め込まれたテキストを編集又は表示しようとした時、代替履歴上使われていたどの書体でも自由に選択でき、どの書体を使用してもページ内のレイアウトを崩すことがなく表示できる。
【発明を実施するための最良の形態】
【０００６】
以下本発明を実施するための最良の形態を、実施例により詳しく説明する。
【実施例１】
【０００７】
次に発明の実施例１について説明する。
【０００８】
図１は、本実施例にかかる基本的な構成を示すブロック図である。図１において１はＣＰＵ、即ち中央処理装置であり、本装置全体の制御及び演算処理を行う。
【０００９】
２はＲＡＭ、即ちランダムアクセスメモリであり、処理毎にそれぞれのプログラム及びデータがロードされ、実行される領域である。
【００１０】
３はＲＯＭ、即ち読み出し専用メモリであり、システム制御プログラムや、フォントデータなどの記憶領域である。４はＫＢＣ、即ちキーボード制御部であり、キーボード５（ＫＢ）からのキー入力によりデータを受け取りＣＰＵ１へ伝達する。６はＰＲＴＣ、即ちプリンタ制御部であり、プリンタ装置７（ＰＲＴ）を制御するためのものである。プリンタ装置７は、レーザービームプリンタ、インクジェットプリンタなどである。
【００１１】
８はＣＲＴＣ、即ちディスプレイ制御部であり、ディスプレイ装置９（ＣＲＴ）への表示制御を行う。１０はＤＫＣ、即ちディスク制御部であり、データ伝送などの制御を行うものである。
【００１２】
１１はＦＤ（フロピーディスク装置）あるいはＨＤ（ハードディスク装置）あるいはＣＤ（ＣＤＲＯＭ）などの外部記憶装置であり、プログラム及びデータを記憶させておき、実行時必要に応じて参照またはＲＡＭ２へロードする。１２はシステムバスであり、上述の構成要素間におけるデータ転送の通路となるべきものである。
【００１３】
本装置は、基本Ｉ／Ｏ（入出力）プログラム、ＯＳ（オペレーティングシステム）、及び以下に説明する文字埋め込みテキスト表示、編集機能を持つテキスト表示、編集プログラムをＣＰＵ１が実行することにより動作する。
【００１４】
基本Ｉ／ＯプログラムはＲＯＭ３に記憶されており、ＯＳはＨＤ１１に書き込まれている。そして本装置の電源がＯＮにされたとき、基本Ｉ／Ｏプログラム中のＩＰＬ（イニシャルプログラムローディング）機能によりＨＤ１１からＯＳがＲＡＭ２に読み込まれ、ＯＳの動作が開始される。
【００１５】
本実施例では、文字埋め込みテキスト表示、編集プログラムおよび関連データは図２のようにＦＤ１１、またはＣＤＲＯＭ１１中に記録されており、このＦＤ１１またはＣＤ−ＲＯＭ１１に記録された文字埋め込みテキスト表示、編集プログラムおよび関連データは図３に示すように、ＦＤドライブまたはＣＤ−ＲＯＭドライブを通じて、本装置のＨＤ１１にインストールする事ができる。
【００１６】
この場合ＦＤ１１またはＣＤ−ＲＯＭ１１をＦＤドライブまたはＣＤ−ＲＯＭドライブにセットすると、ＯＳ及び基本Ｉ／Ｏプログラムの制御のもとに文字埋め込みテキスト表示、編集プログラム及び関連データがＦＤ１１またはＣＤ−ＲＯＭ１１から読み出され、ＨＤ１１にインストールされて動作可能となる。
【００１７】
図４は文字埋め込みテキスト表示、編集プログラムがＨＤ１１にインストールされ実行可能になった状態のメモリマップを示す。
【００１８】
図５は本実施例における文字データを埋め込まれたテキストデータの編集における処理の流れを示すフローチャートである。
【００１９】
本実施例では、ドキュメントに使用されている書体はすべて文字データとして埋め込まれているものとする。まずステップＳ５０１ではドキュメントに使用している書体の確認を行う。
【００２０】
次にステップＳ５０２では、ドキュメントに対して編集を行うかどうかを選択する。編集を行わない場合はステップＳ５１４の出口へ進む。編集を行う場合はステップＳ５０３へ進む。ステップＳ５０３ではドキュメントの編集を行う部分で使用されている書体が、編集を行う情報処理装置に既にインストールされているかどうかを確認する。インストールされていた場合はステップＳ５０４へ進む。
【００２１】
ステップＳ５０４ではドキュメントに使用されている書体のまま編集を行う。
【００２２】
次にステップＳ５０５へ進み、編集後のドキュメントに使用されている文字に関する文字データを作成し新たに埋め込み、ステップＳ５０６へ進む。ステップＳ５０６では編集前に埋め込まれていた文字データを削除するかどうかをユーザーが選択する。この選択は事前に選択、設定しておいても、またその都度データ量を考慮し選択しても構わない。元データを削除する場合はステップＳ５０７へ進み埋め込まれていた対象文字データを削除しステップＳ５１４の出口へ進む。ステップＳ５０６で埋め込まれていた対象文字データを削除しない場合は、ステップＳ５１４の出口へ進む。ステップＳ５０３で  対象とする文字データが情報処理装置にインストールされていなかった場合は、ステップＳ５０８へ進む。
【００２３】
ステップＳ５０８では、対象とする書体に最も近い代替書体で表示、編集を行う。次にステップＳ５０９へ進み、代替書体に置き換え編集を行ったドキュメントを保存するかどうかを選択する。この選択は、事前に選択、設定しておいても、またその都度、選択しても構わない。保存をしない場合はステップＳ５１４の出口へ進む。ステップＳ５０９で編集後のドキュメントを保存する場合は、ステップＳ５１０へ進む。ステップＳ５１０では、編集後のドキュメントに使用されている代替書体の文字データを作成し、埋め込む。
【００２４】
次にステップＳ５１１へ進み、編集前に埋め込まれていた文字データを削除するかどうかをユーザーが選択する。この選択は事前に選択、設定しておいても、またその都度データ量を考慮し選択しても構わない。文字データを削除する場合はステップＳ５１２へ進み埋め込まれていた対象文字データを削除しステップＳ５１３へ進む。ステップＳ５１１で対象文字データを削除しない場合は、ステップＳ５１３へ進む。ステップＳ５１３では、代替情報を保存するかどうかを選択する。この選択は事前に選択、設定しておいても、またその都度選択しても構わない。
【００２５】
代替情報は、図７（ａ）に示すように、所望の書体データが、編集する情報処理装置にインストールされていなかった場合、代替書体で編集し、その代替書体で新たに文字データを作成し保存埋め込みを行った場合、元々どのような書体が使われていたのかを、書体が変えられ保存されるたびに保存する情報である。またこの情報は、図８に示すように、編集により代替書体に変わったり、またユーザーが自ら変えたブロック毎にそのブロックのレイアウト情報と書体名からなる。代替情報を保存しない場合はステップＳ５１４の出口へ進む。代替情報を保存する場合は、ステップＳ５１４へ進む。ステップＳ５１４では、図７（ａ）に示すように代替情報として書体名を保存する。
【実施例２】
【００２６】
図６は本実施例における文字データを埋め込まれたテキストデータの表示における処理の流れを示すフローチャートである。
【００２７】
ステップＳ６０１はドキュメントを表示する情報処理装置に既にインストールされている文字データを確認する。次にステップＳ６０２へ進み代替情報が保存されているか確認する。代替情報が保存されていない場合はステップＳ６０３へ進む。ステップＳ６０３では表示する書体として、最後に埋め込まれた書体の文字データを選択し、ステップＳ６０７へ進む。
【００２８】
ステップＳ６０２で代替情報が保存されていた場合は、ステップＳ６０４へ進み、その代替情報に優先順位がつけられているかどうかを確認する。優先順位とは図７（ｂ）に示すように、書体ごとにつけられた番号で、表示する情報処理装置に、代替書体として登録
されていた書体が複数インストールされていた場合、どの書体で表示するかの優先順位であり、この設定は、代替情報保存時に優先順位をつけるかどうかの選択をユーザーに選択させることで設定する。
【００２９】
代替情報に優先順位が設定されていなかった場合は、ステップＳ６０５へ進み、ユーザーに、代替情報に登録してある書体のどの書体を使うかを選択させる。また優先順位が設定されていなかった場合、最後に保存、埋め込みをされた書体の文字データをデフォルトとして設定しておいても構わない。
【００３０】
表示に使用する書体を選択したらステップＳ６０７へ進む。ステップＳ６０４で優先順位が設定されていた場合は、ステップＳ６０６へ進み、優先順位の最も高い書体の文字データを表示用データとして選択する。次にステップＳ６０７へ進みレイアウト編集をするかどうかを選択する。このレイアウトは図９に示すように、各ページごとに、ドキュメント、表、図、又はイメージといったような素材ごとにその位置や範囲を定めた座標系を言う。
【００３１】
図や、表、イメージ等素材の位置や表示範囲を編集する場合はステップＳ６０８へ進む。ステップＳ６０８ではページを構成する各素材の位置及び範囲の編集を行いステップＳ６０９へ進む。ステップＳ６０７でレイアウト編集をいないと選択された場合は、ステップＳ６０９へ進み、対象ページの対象ドキュメントレイアウトの位置及び範囲を確認する。次にステップＳ６１０へ進み、対象ページの対象ドキュメントレイアウト内のドキュメントを構成する文字のサイズ及びピッチを算出する。
【００３２】
これは、レイアウト編集によりドキュメントレイアウトの範囲が変わった場合、又、優先順位やユーザーの選択により、最後に編集したときの書体と表示に使う書体とが異なった場合、ドキュメントがレイアウト内にちょうど収まるように、文字のサイズ及び文字のピッチ等を計算する。次にステップＳ６１１へ進みドキュメントファイルを構成するすべてのページについて上記処理を行ったか確認する。まだの場合はステップＳ６０２へ戻り処理を繰り返す。
【００３３】
（まとめ）
以上、実施例１〜２で説明したように本発明によれば、文字を埋め込まれたテキストを編集又は表示しようとした時、代替履歴上使われていたどの書体でも自由に選択でき、どの書体を使用してもページ内のレイアウトを崩すことがなく表示できる。
【図面の簡単な説明】
【００３４】
【図１】実施例１から３の情報処理装置の構成図である。
【図２】ＦＤまたはＣＤ−ＲＯＭの記録内容を示す図である。
【図３】ＦＤまたはＣＤ−ＲＯＭと情報処理装置の関係図である。
【図４】情報処理装置のハードディスクにＦＡＸドライバがインストールされた際の情報処理装置のメモリマップを示す図である。
【図５】実施例１の文字が埋め込まれたテキストの編集処理を示すフローチャートを示す図である
【図６】実施例２の文字が埋め込まれたテキストの表示処理を示すフローチャートを示す図である。
【図７（ａ）】代替情報とその優先順位を示す図である。
【図７（ｂ）】代替情報とその優先順位を示す図である。
【図８】ドキュメントレイアウト内での、代替対象の例を示す図である。
【図９】ページを構成する各素材のレイアウトの例を示す図である。
【符号の説明】
【００３５】
１    ＣＰＵ
２    ＲＡＭ
３    ＲＯＭ
４    ＫＢＣ
５    ＫＢ
６    ＰＲＴＣ
７    ＰＲＴ
８    ＣＲＴＣ
９    ＣＲＴ
１０    ＤＫＣ
１１    ＦＤ，ＨＤ，ＣＤＲＯＭ
【図１】
2006163862.tif 000003
【図２】
2006163862.tif 000004
【図３】
2006163862.tif 000005
【図４】
2006163862.tif 000006
【図５】
2006163862.tif 000007
【図６】
2006163862.tif 000008
【図７（ａ）】
2006163862.tif 000009
【図７（ｂ）】
2006163862.tif 000010
【図８】
2006163862.tif 000011
【図９】
2006163862.tif 000012